(57)【要約】【課題】発光のバリエーションが広く用途の拡大を図ることができる発光装置を提供する。【解決手段】透光性を有する筒状の透明樹脂フィルム３と、この透明樹脂フィルム３内に配設されたＬＥＤ（発光ダイオード）ランプ４，４，…と、ＬＥＤランプ４，４，…に電力を供給する電池５と、ＬＥＤランプ４，４，…を点灯させる点灯回路６と、この点灯回路６、電池５、ＬＥＤランプ４，４，…および透明樹脂フィルム３を収容する透光性と柔軟性を有する筒状のライト本体２と、このライト本体２の外面に密着された透光性を有する印刷可能のシュリンクフィルム１０と、を具備している。【選択図】  図１
0003172422.tif 000002
【実用新案登録請求の範囲】
【請求項１】
透光性を有する筒状の透光樹脂フィルムと、
この透光樹脂フィルム内に配設されたＬＥＤ（発光ダイオード）ランプと、
ＬＥＤランプに電力を供給する電池と、
ＬＥＤランプを点灯させる点灯回路と、
この点灯回路、電池、ＬＥＤランプおよび透光樹脂フィルムを収容する透光性と柔軟性を有する筒状の本体と、
この本体の外面に密着された透光性を有する印刷可能の外装フィルムと、
を具備していることを特徴とする発光装置。
【請求項２】
前記透光樹脂フィルムがポリエチレン・テレフタレート（ＰＥＴ）またはポリエチレン（ＰＥ）フィルムであり、
前記本体が発泡ポリエチレン製であることを特徴とする請求項１記載の発光装置。
【請求項３】
前記透光樹脂フィルムは、前記ＬＥＤランプを配設する一端部の反対側の他端部に、反射部材を配設していることを特徴とする請求項１または２記載の発光装置。
【請求項４】
前記ＬＥＤランプは、赤，緑，青にそれぞれ発光する３種類のＬＥＤランプのうち、少なくとも２種類を具備し、
前記点灯回路は点灯スイッチを押す毎に、ＬＥＤランプの点，消灯およびその複数の点灯パターンを制御するように構成されていることを特徴とする請求項１〜３のいずれか１項に記載の発光装置。
【考案の詳細な説明】
【技術分野】
【０００１】
本考案は、例えば広告宣伝用やコンサート、アウトドア、防災用等に使用されるライトスティック等の発光装置に関する。
【背景技術】
【０００２】
従来、この種の発光装置の一例としては、例えば２液混合で発光するケミカルライトが知られている。これは、例えば、シュウ酸ジフェニルと過酸化水素との混合溶液の化学発光の発光によりスティック状等所要形状のライト本体を発光させるライトである。
【０００３】
このケミカルライトは、例えば上記２液の一方の溶液を破損し易いガラス製のアンプル内に入れ、そのアンプルを他方の溶液と共に、透光性を有するライト本体内に入れて密閉し、この本体を強く振ったときに、内部のガラス製アンプルが破損して２液が混合し、発光する。
【考案の概要】
【考案が解決しようとする課題】
【０００４】
しかしながら、このような従来のケミカルライトでは、可逆性が無く、一旦発光すると、寿命により数時間で消灯し、寿命後は再び点灯することができず、使い捨て用である。
【０００５】
また、このケミカルライトは、発光させるためにはライト本体を強く振る必要があり、その際に、周囲の人や物に衝突する虞があり、危険性がある。
【０００６】
さらに、一旦発光すると、その発光は寿命が尽きるまで単に発光を持続するに過ぎず、その発光の点滅等、発光を制御することができないうえに、発光色を変更することもできない。すなわち、発光のバリエーションが乏しいために、面白味に欠けるきらいがあり、用途も広くないという課題がある。
【０００７】
本考案の解決課題は、発光のバリエーションが広く用途の拡大を図ることができる安価な発光装置を提供することにある。
【課題を解決するための手段】
【０００８】
本実施形態は、透光性を有する筒状の透光樹脂フィルムと、この透光樹脂フィルム内に配設されたＬＥＤ（発光ダイオード）ランプと、ＬＥＤランプに電力を供給する電池と、ＬＥＤランプを点灯させる点灯回路と、を具備している。
【０００９】
また、本実施形態は、点灯回路、電池、ＬＥＤランプおよび透光樹脂フィルムを収容する透光性と柔軟性を有する筒状の本体と、この本体の外面に密着された透光性を有する印刷可能の外装フィルムと、を具備している。
【図面の簡単な説明】
【００１０】
【図１】本考案の一実施形態に係る発光装置の縦断面図。
【考案を実施するための形態】
【００１１】
以下、本考案の一実施形態に係る発光装置を図１に基づいて説明する。
【００１２】
図１に示すように本考案の一実施形態に係る発光装置１は、透光性と柔軟性を有する本体の一例である、例えば円筒状のライト本体２内に、円筒状の透明（透光）樹脂フィルム３、複数のＬＥＤ（発光ダイオード）ランプ４，４，…、これらＬＥＤランプ４，４，…に直流電力を供給するボタン電池等の電池５、およびこれらＬＥＤランプ４，４，…を点灯させる点灯回路６を収容している。
【００１３】
ライト本体２は、透光性と柔軟性を有する多孔質の発泡ポリエチレンにより、有底円筒状に形成され、その図１中右端の開口端２ａ内に樹脂製の端栓７を嵌入して閉塞している。
【００１４】
端栓７は、ライト本体２の開口端２ａ内に嵌入される中空円筒体７ａの外端面に、この円筒体７ａよりも大径に形成され、この開口端２ａの外端面に密着し接着剤により固着されて、この開口端２ａを閉じる端板７ｂを一体に形成している。端板７ｂの外面には、押しボタン等の点灯スイッチ８を突設している。
【００１５】
点灯回路６は、円筒体７ａ内の端板７ｂの内底面上に配設され、円筒体７ａの内端（図１では左端）の中央部にて径方向に横架された回路基板６ａの図１中左端上に、複数、例えばＲ（赤），緑（Ｇ），青（Ｂ）にそれぞれ発光する高輝度かつ長寿命のＬＥＤ（発光ダイオード）ランプ４，４，４を突設している。
【００１６】
点灯回路６は、電池５と点灯スイッチ８に電気的に接続され、点灯スイッチ８が押圧される毎に、複数のＬＥＤランプ４，４，…の点灯パターンを制御するマイクロプロセッサ（図示省略）を具備している。
【００１７】
マイクロプロセッサはＩＣ（集積回路）等により構成され、点灯スイッチ８の押圧毎に、ＬＥＤランプ４，４，…を１個ずつ順次点灯させる順次点灯パターンや、全部を一斉に点灯させる一斉点灯パターン、これらの点灯パターンで点滅させる点滅パターン等、複数の点灯パターンを有する。
【００１８】
上記透明樹脂フィルム３は、ＰＥＴ（ポリエチレン・テレフタレート）やＰＥ（ポリエチレン）フィルムを円筒状に形成することにより構成され、ＬＥＤランプ４，４，…の設置箇所に対し、軸方向反対側の一端（図１では左端）に、例えば円板状の反射ディスク９を反射板として配設している。反射ディスク９は紙製または樹脂製の円形基板の両面、または少なくとも内面に、例えば銀色等の反射塗料を塗布することにより構成されている。
【００１９】
そして、この透明樹脂フィルム３は、その図１中右端部を点灯回路基板６ａに、接着剤等により予め固着しておくことにより、点灯回路基板６ａを予組みしている。
【００２０】
そして、ライト本体２は、その外面のほぼ全長に、外装フィルムの一例である樹脂製の透光性を有するシュリンクフィルム１０を熱圧着等により密に固着している。シュリンクフィルム１０はカラフルで鮮やかなカラー印刷が可能である。
【００２１】
したがって、このシュリンクフィルム１０に、漫画や映画、アニメーション、テーマパーク等、種々のキャラクター、広告宣伝用の文字や絵等、用途に応じて種々の文字、図形、記号等を印刷することにより、これら印刷の発光による視覚的美観をユーザに提供することができ、趣味性の拡大と向上を図ることができる。
【００２２】
さらに、この発光装置１によれば、光源が高輝度のＬＥＤランプ４，４，…であるので、発光装置１全体の輝度の向上を図ることができる。また、ライト本体２が、多孔質の発泡ポリエチレン製であるので、その円筒内周面の多数の孔を通って光が外部へ放射される一方、これら多孔の開口周辺部で光の乱反射が発生し、透明樹脂フィルム３側へ反射される光拡散性を有する。また、透明樹脂フィルム３を例えば手巻きにより円筒状に形成する等により、しわを形成する場合には、このしわにより光が拡散する光拡散性が発生する。このために、このライト本体２の光乱反射と透明樹脂フィルム３の光拡散効果がライト本体２のほぼ全長に亘って発生するので、ライト本体２の先端部（図１中左端部）まで導光できる。その結果、ライト本体２の先端部まで発光させることができる。
【００２３】
さらに、点灯スイッチ８を押圧することにより、ＬＥＤランプ４，４，…を必要に応じて適宜点灯させ、または消灯させることができる。しかも、点灯スイッチ８を押圧する毎に、ＬＥＤランプ４，４，…の点灯パターンを順次選択することにより、種々の点灯パターンを楽しむことができ、発光のバリエーションの拡大を図ることができる。
【００２４】
この発光装置１によれば、ライト本体２の発泡ポリエチレンと、透明樹脂フィルム３のＰＥＴまたはＰＥと、反射ディスク９およびシュリンクフィルム１０が共に安価であるので、この発光装置１全体としてもコスト低減を図ることができる。
【００２５】
また、ＬＥＤランプ４，４，…や点灯回路６も比較的安価であるので、コスト低減を図ることができる。
【００２６】
そして、シュリンクフィルム１０に広告宣伝用の文字や図形等の表示をカラフルなカラー印刷により印刷することにより、これら印刷の発光により注目度を高めることができる。このために、発光装置１を広告宣伝用に使用することができる。また、漫画やアニメーション等のキャラクター等、玩具用の文字，図形等をカラー印刷することにより、玩具としても使用することができる。さらに、シュリンクフィルム１０に何も印刷せず、単なる透明樹脂フィルムとして使用する場合には透光量を増加させ、輝度の向上を図ることにより、単なる照明装置としても使用することができるので、用途の拡大を図ることができる。
【００２７】
また、発光装置１によれば、単に点灯スイッチ８を押圧することにより、点灯させることができ、ケミカルライトのように振って発光させる必要がないので、周囲の人や物に衝当させる虞を低減できる。このために、安全性の向上を図ることができる。
【００２８】
さらに、ライト本体２が軽量かつ柔軟な発泡ポリエチレンにより構成されているので、ライト本体２は、その長さを、例えば１０ｃｍ〜１００ｃｍまで形成可能であるうえに、柔軟性を有するので、万一、このライト本体２が周囲の人や物に衝当しても、人を負傷させたり、物を破損させることを低減でき、安全性の向上を図ることができる。
【００２９】
また、透明樹脂フィルム３は、そのＬＥＤランプ４，４，…の配設箇所反対側の一端（先端）に反射ディスク９を設けているので、透明樹脂フィルム３の先端、すなわち、発光装置１の先端部まで有効に発光させることができ、軸方向の輝度均斉度の向上を図ることができる。
【００３０】
そして、この発光装置１は、点灯回路基板６ａに、透明樹脂フィルム３を予め固着する予組みを行っているので、この予組みをライト本体２内に、その開口端２ａから単に挿入することにより、点灯回路６と透明樹脂フィルム３をライト本体２に簡単かつ迅速に組み付けることができる。
【００３１】
また、上記ケミカルライトでは、一旦発光すると、寿命が尽きるまで発光し続け、その途中、必要に応じて消灯できないが、この発光装置１によれば、点灯後、点灯スイッチ８を押圧することにより、適宜消灯することができる。また、電池５の寿命が尽きるまで数時間以上点灯させることができ、電池５を交換可能に構成することにより、低電圧駆動で長寿命のＬＥＤランプ４，４，…を長期間使用できる。
【００３２】
なお、上記実施形態の発光装置１では、ライト本体２を有底筒状に形成した場合について説明したが、本発明は、このライト本体２を底部を有しない両端開口の円筒に形成し、その底部側開口端に端栓を嵌入させて閉じるように構成してもよい。
【００３３】
以上、本考案の幾つかの実施形態を説明したが、これらの実施形態は、例として提示したものであり、本考案の範囲を限定することは意図していない。これら新規な実施形態は、その他の様々な形態で実施されることが可能であり、本考案の要旨を逸脱しない範囲で、種々の省略、置換え、変更を行うことができる。これら実施形態やその変形は、本考案の範囲や要旨に含まれるとともに、実用新案登録請求の範囲に記載された考案とその均等の範囲に含まれる。
【符号の説明】
【００３４】
１…発光装置、２…ライト本体、３…透明樹脂フィルム、４…ＬＥＤランプ、５…電池、６…点灯回路、８…点灯スイッチ、９…反射ディスク、１０…シュリンクフィルム。
【図１】
0003172422.tif 000003